(57)【要約】【課題】  災害時の避難に於いて、日常使用している敷布が救出用の担架として使用できるようにし、当該病人や老人を素早く救出出来るようにした簡便で廉価な、担架になる敷布を供すること。【解決手段】  ベッドや敷き布団やマットレスの上に敷いて使用する布状体からなる敷布であって、当該布状体の人体を横たえる部分の両側に、人体を持ち上げるための吊り下げ手段を設けるか、吊り下げ手段を取り付けるための取り付け手段を配して吊り下げ手段を取り付け、当該吊り下げ手段を把持又は肩に掛けるなどして搬送可能とし、病人や寝たきり老人を搬送できるようにする。【選択図】図１
2018126479.tif 000002
【特許請求の範囲】
【請求項１】
ベッドや敷き布団やマットレスの上に敷いて使用する布状体からなる敷布であって、当該布状体の人体を横たえる部分の両側に、人体を持ち上げるための吊り下げ手段を設けるか、吊り下げ手段を取り付けるための取り付け手段を配して吊り下げ手段を取り付け、当該吊り下げ手段を把持又は肩に掛けるなどして搬送可能とし、病人や寝たきり老人を搬送できるようにしたことを特徴とする担架になる敷布。
【請求項２】
前記、吊り下げ手段が、前記布状体の人体を横たえる部分の両側に沿って配された、前記人体を持ち上げるためのベルトであることを特徴とする請求項１に記載した担架になる敷布。
【請求項３】
前記、吊り下げ手段を取り付けるための取り付け手段が、前記布状体の人体を横たえる部分の両側に設けた孔又は切れ目又は布状体による輪などであって、当該、孔又は切れ目又は布状体による輪などに棒状体又はベルト、又はその双方を掛着することで、前記人体を持ち上げるための吊り下げ手段としたことを特徴とする請求項１に記載した担架になる敷布。
【請求項４】
前記、棒状体とベルトが、棒の両端部にフックをとりつけ、当該棒の両端部に当該ベルトの両端部を取り付けたものであることを特徴とする請求項３に記載した担架になる敷布。
【請求項５】
前記敷布の、人体を横たえる布状体部分の両側の人体が乗っていない部分を人体に向かって巻いた場合、当該巻い布状体が巻いた状態を維持できるように、形状維持手段を配したことを特徴とする請求項１、又は請求項２、又は請求項３、又は請求項４に記載した担架になる敷布。
【請求項６】
前記、敷布の長手方向両側端に当て木としての棒状体を配し、搬送時には布状体に巻き込むか掛着させて人体側部近くに位置させ、人体の姿勢を維持できるようにしたことを特徴とする、請求項１、又は請求項２、又は請求項３、又は請求項４、又は請求項５に記載した担架になる敷布。
【請求項７】
前記棒状体を二分して、上部棒状体と下部棒状体とし、上部棒状体と下部棒状体を端部に於いて揺動可能に連結して、前記、人体を持ち上げるためのベルトを引き上げたとき一定の角度で静止する構成であることを特徴とする請求項６に記載した担架になる敷布。
【請求項８】
前記、敷布の人体を横たえる部分を二分し、その上部と下部のそれぞれに当て板を配して接合し、搬送時には人体の姿勢を維持できるようにしたことを特徴とする、請求項１、又は請求項２、又は請求項３、又は請求項４、又は請求項５、又は請求項６、又は請求項７に記載した担架になる敷布。
【発明の詳細な説明】
【０００１】  本発明は、使用していた敷布が担架の役割を果たすことで、寝たきりの病人等の歩行困難者を搬送でき、又、火災や震災など緊急時には当該、歩行困難者を救出するのに役立つ、担架になる敷布に関する。
【技術背景】
【０００２】  現代では人類の寿命が大きく伸び、それに伴い、病気を抱えて寝たきりになる老人の数も増えつつある。火災や震災などの災害時には、素早く当該病人を救出することが求められるが、施設・設備の不備によって、救出出来ないケースも見られる。簡便で、日常使用している敷布が救出用の担架として使用できれば、災害時の人命救助に大いに貢献できる。
【０００３】  参考文献１実開平０７−０１２１２２号に示された考案は「請求項１」に記載されるように「敷布団の包布（カバー及びシーツ）、の一部に取っ手を付けた救護用の包布」であるが、取っ手３をもって搬送するには必ず２名以上を必要とし、取っ手３を二人がかりで持ったとしても、中央部が垂れ下がり、床で擦ったり、階段にぶつけたりし易く、実用上、使用に耐えない。本願図面が酷似しているが、当該文献の２はタックを寄せ縫合した補強であるが、本願の２が示すものは敷布全体を吊り上げるためのベルトであって、構成並びに機能・役割がまるで異なる。
【０００４】  参考文献２の特開２００８−１７９５０号に記載された発明は「長方形のシーツの上辺に身体を支える幅を有し、シーツの両側片から所定の幅を有する短冊状の切片となるように切れ目を上下方向に設け、更に、上辺の中央部には頭部を迂回するための短い切れ目を上下方向に設けるとともに、シーツの下辺にも身体を支える幅を有してシーツ両側辺から所定の幅を有する短冊状の切片となるように切れ目を上下方向に設け、寝具のシーツ、衣類、及び搬送用具として用いることができることを特徴とする介護用多機能シーツ。」であって、シーツに設けられた切れ目が多く、通常のシーツとして使用する際に部分的なめくれが生じ易く、安心して使用できない。当該シーツは背負うための用具を兼ねるものであるが、構成が複雑で、瞬時に避難させなければならない場合には準備に手間取る。
【先行技術文献】
【特許文献】
【０００５】
【特許文献１】実開平０７−０１２１２２号
【０００６】
【特許文献２】特開２００８−１７９５０号
【発明の概要】
【発明が解決しようとする課題】
【０００７】  寝たきりの病人や老人の介護において、当該病人や老人の搬送を助け、介護を容易にするとともに、災害時の避難に於いて、日常使用している敷布が救出用の担架として使用できるようし、当該病人や老人を素早く搬送救出が出来るようにした簡便で廉価な担架になる敷布を供すること。
【課題を解決するための手段】
【０００８】  ベッドや敷き布団やマットレスの上に敷いて使用する布状体からなる敷布であって、当該布状体の人体を横たえる部分の両側に、人体を持ち上げるための吊り下げ手段を設けるか、吊り下げ手段を取り付けるための取り付け手段を配して吊り下げ手段を取り付け、当該吊り下げ手段を把持又は肩に掛けるなどして搬送可能とし、病人や寝たきり老人を搬送できるようにしたことを特徴とする担架になる敷布を供する。【０００９】  前記吊り下げ手段が、前記布状体の人体を横たえる部分の両側に沿って配された、前記人体を持ち上げるためのベルトであることを特徴とする担架になる敷布を供する。【０００１０】  前記吊り下げ手段を取り付けるための取り付け手段が、前記布状体の人体を横たえる部分の両側に設けた孔、又は切れ目、又は布状体による輪などであって、当該、孔又は切れ目、又は布状体による輪などに棒状体又はベルト、又はその双方を掛着することで、前記人体を持ち上げるための吊り下げ手段としたことを特徴とする担架になる敷布を供する。【０００１１】  前記、棒状体とベルトが、棒の両端部にフックをとりつけ、当該棒の両端部に当該ベルトの両端部を取り付けたものであることを特徴とする担架になる敷布を供する。【０００１２】  前記敷布の、人体を横たえる布状体部分の両側の人体が乗っていない部分を人体に向かって巻いた場合、当該巻い布状体が巻いた状態を維持できるように、形状維持手段を配したことを特徴とする担架になる敷布を供する。【０００１３】  前記、敷布の長手方向両側端に当て木としての棒状体を配し、搬送時には布状体に巻き込むか掛着させて人体側部近くに位置させ、人体の姿勢を維持できるようにしたことを特徴とする担架になる敷布を供する。【０００１４】  前記棒状体を二分して、上部棒状体と下部棒状体とし、上部棒状体と下部棒状体を端部に於いて揺動可能に連結して、前記、人体を持ち上げるためのベルトを引き上げたとき一定の角度で静止する構成であることを特徴とする担架になる敷布を供する。【０００１５】  前記、敷布の人体を横たえる部分を二分し、その上部と下部のそれぞれに当て板を配して接合し、搬送時には人体の姿勢を維持できるようにしたことを特徴とする担架になる敷布敷布を供する。
【発明の効果】
【０００１６】  ベッドや敷き布団やマットレスの上に敷いて使用する布状体からなる敷布であって、当該布状体の人体を横たえる部分の両側に、人体を持ち上げるための吊り下げ手段を設けるか、吊り下げ手段を取り付けるための取り付け手段を配して吊り下げ手段を取り付け、当該吊り下げ手段を把持又は肩に掛けるなどして搬送可能とし、病人や寝たきり老人を搬送できるようにしたことを特徴とする担架になる敷布であるため次の効果を有する。【０００１７】  前記吊り下げ手段を持ち上げることで寝たきりの人体を、容易に吊り下げ可能となって、安全な場所への搬送の時間を短縮して避難の安全性を高めたり、介護の質を高める。【０００１８】  前記吊り下げ手段が、前記布状体の人体を横たえる部分の両側に沿って配された、前記人体を持ち上げるためのベルトであることを特徴とする担架になる敷布であるため次の効果を有する。【０００１９】  ベルトを持ち上げることで、瞬時に搬送の体制が作れ、安全な場所への搬送の時間を短縮して避難の安全性を高めたり、介護の質を高める。【０００２０】  前記吊り下げ手段を取り付けるための取り付け手段が、前記布状体の人体を横たえる部分の両側に設けた孔又は切れ目又は布状体による輪などであって、当該、孔又は切れ目又は布状体による輪などに棒状体又はベルト、又はその双方を掛着することで、前記人体を持ち上げるための吊り下げ手段としたことを特徴とする担架になる敷布であるため次の効果を有する。【０００２１】  簡単な加工で担架になる敷布が造れるため、普及させることが容易で、避難の安全性を高めたり、介護の質を高めることができる。【０００２２】  前記、棒状体とベルトが、棒の両端部にフックをとりつけ、当該棒の両端部に当該ベルトの両端部を取り付けたものであることを特徴とする担架になる敷布であるため次の効果を有する。【０００２３】  搬送される病人に無理な姿勢をとらせることなく、瞬時に搬送体制が作れる。【０００２４】  前記敷布の、人体を横たえる布状体部分の両側の人体が乗っていない部分を人体に向かって巻いた場合、当該巻い布状体が巻いた状態を維持できるように、形状維持手段を配したことを特徴とする担架になる敷布であるため次の効果を有する。【０００２５】  巻いた布状体がベルトと人体の間に存在することで、人体のベルトによる擦傷を防ぎ、人体の姿勢を防御する。【０００２６】  前記、敷布の長手方向両側端に当て木としての棒状体を配し、搬送時には布状体に巻き込むか掛着させて人体側部近くに位置させ、人体の姿勢を維持できるようにしたことを特徴とする担架になる敷布であるため次の効果を有する。【０００２７】  棒状体を人体に沿って配置することで、吊り下げたときに人体に対して加わる無理な力を押さえ、病人等への負担を軽減する。【０００２８】  前記棒状体を二分して、上部棒状体と下部棒状体とし、上部棒状体と下部棒状体を端部に於いて揺動可能に連結して、前記、人体を持ち上げるためのベルトを引き上げたとき一定の角度で静止する構成であることを特徴とする担架になる敷布であるため次の効果を有する。【０００２９】  一定の角度で静止する構成であることから、吊り下げたときに人体に対して加わる無理な力を押さえ、病人等へ��負担を軽減する。【０００３０】  前記、敷布の人体を横たえる部分を二分し、その上部と下部のそれぞれに当て板を配して接合し、搬送時には人体の姿勢を維持できるようにしたことを特徴とする担架になる敷布敷布であるため次の効果を有する。【０００３１】  病人等の搬送時に搬送される人体に無理な力がかからないように、病人の姿勢を制御できる。
【図面の簡単な説明】
【００３２】
【図１】  本願発明の実施形態１の使用の状態を示す斜視図である。
【図２】  本願発明の実施形態１の裏面を示す敷布全体の斜視図である。
【図３】  本願発明の実施形態２の裏面を示す敷布全体の斜視図である。
【図４】  本願発明の実施形態３の裏面を示す敷布全体の斜視図である。
【図５】  本願発明の実施形態３の使用時の状態を示す斜視図である。
【図６】  本願発明の実施形態４の裏面を示す敷布全体の斜視図である。
【図７】  本願発明の実施形態４の使用時の状態を示す斜視図である。
【図８】  本願発明の実施形態５の裏面を示す敷布全体の斜視図である。
【図９】  本願発明の実施形態５の使用時の状態を示す斜視図である。
【図１０】  本願発明の実施形態６の使用時の状態を示す斜視図である。
【図１１】  本願発明の実施形態７の裏面を示す敷布全体の斜視図である。
【図１２】  本願発明の実施形態７の使用時の状態を示す部分図である。
【発明を実施するための形態】
【００３３】  以下、本願発明の実施の形態を図１〜図１２に基づいて説明する。本願で言う敷布とは布団やベッドやマットレスといった寝具の上に人が横たわる際に、当該、寝具の上に敷くための布状のものを指し、ベッドパッドと呼ばれるような厚みのあるもの、数枚の布を重ねて縫い合わせたものを含むものとする。
【００３４】  図１は実施形態１の搬送時の使用の状態を示す斜視図であって、敷布である布状体１に吊り下げ手段２である吊り下げ用ベルト２１を設け、避難、搬送するために吊り下げた状態を示したものである。敷布本体である布状体１上に人体３が乗った状態で、吊り下げ用ベルト２１を引き上げると布状体１が人体３を包むようにして持ち上がる。搬送は、搬送する側に人間の力が強ければ、手前側の吊り下げ用ベルト２１１と奥側の吊り下げ用ベルト２１２の両方を肩に掛け、そのまま搬送できる。搬送する側に人間の力が弱い場合には手前側の吊り下げ用ベルト２１１と奥側の吊り下げ用ベルト２１２を別の人間がそれぞれ肩に掛けて搬送する。二人の搬送人の背丈が異なる場合には長さ調節器２２で調節する。長さ調節器２２はリングを２つ合わせて一つに束ねたものなど簡便なものが使用できる。
【００３５】  図２は実施形態１の平面時の状態を表したものであって、裏側から見た図である。図１では吊り下げ用ベルト２１が布状体１の表側に配してあるのに対し、本図では吊り下げ用ベルト２１が布状体１の裏側に配してある。吊り下げようベルト２１は人体３の胴部分が横たわる位置の側部に平行して配され、その端部のみが結合手段４として布状体１に縫合され、縫合部４１を形成している。吊り下げ用ベルト２１は布状体１の表側に配されても、裏側に配されても使用できるが、裏側に配したほうが、使用する人の人体に触れず、擦り傷や誤って手指にけがをさせる危険性を避けることが出来る。上に寝た場合の違和感をなくすため、布状体１は厚手でクッション性があることが望ましく、長さ調節器２２は出来るだけ小さく、表からはその存在がわからないものが良い。
【００３６】  図３は本願発明の実施形態２の裏面を示す敷布全体の斜視図である。実施例１との違いは、結合手段４の縫合部４１が無くなり、吊り下げ用ベルト２１は分離されて、別の部品として添えられる。吊り下げ用ベルト２１の端には掛着用のフック５を形成し、布状体１には結合手段として、フック５を掛けるためのフック掛け４２を形成した点にある。フック掛け４２は布製の帯を輪にしたものや布状体１に切れ目を入れて造る。吊り下げ用ベルト２１の端に設けた掛着用のフック５をフック掛け４２に掛けることで、布状体１は吊り下げ可能となって、実施形態１同様の効果をもたらす。吊り下げ用具としては吊り下げ用ベルト２１を吊り下げ用棒状体２３に替えることが可能で、吊り下げ用棒状体２３の端に掛着用のフック５を形成する。吊り下げ用棒状体２３することにより、搬送時に、背側のフック掛け４２１と脚側のフック掛け４２２の距離が一定に保たれることから、搬送される人間に無理な姿勢を強いる程度が弱まる効果が得られる。
【００３７】  図４は本願発明の実施形態３の裏面を示す敷布全体の斜視図であって、実施形態２との違いは、吊り下げ用棒状体２３と吊り下げ用ベルト２１を同時に使うものとした点にある。吊り下げ用棒状体２３の端に吊り下げ用ベルト２１の端を結合し、吊り下げ用棒状体２３の端には掛着用のフック５を形成してある。図の５のようにして病人等を搬送するが、背側のフック掛け４２１と脚側のフック掛け４２２の距離が一定に保たれることから、搬送される人間に無理な姿勢を強いる程度が弱まる効果が得られる。
【００３８】  図６は本願発明の実施形態４の裏面を示す敷布全体の斜視図であって、実施形態３との違いは、吊り下げ用ベルト２１の隣に巻いた布状体１１を掛止させるための掛止手段１２を設けた点にある。当該掛止手段は軽く止めることをもくてきとし、平面ファスナーの鈎部が用いられる。当該鈎部が掛着するには布状体１も掛着可能なタオル地などであることが求められる。図７は実施形態４の使用時の状態を示す斜視図であって、巻いた布状体１１が人体３の側面と吊り下げ用ベルト２１の間に位置し、摺擦による怪我の発生を防ぐ。
【００３９】  図８は本願発明の実施形態５の裏面を示す敷布全体の斜視図であって、布状体１の長手方向側面に形状維持手段６としての当て木である形状維持棒６１を配したものである。実施形態４と同様に布状体１を人体に抜かって巻き込んだ場合、布状体１が変形することを防ぎ、人体３に無理な力が加わることを押さえる。図９図のように曲がる箇所が腰部に限られ、自然な姿勢で搬送できるようになる。
【００４０】    図１０は実施形態６の使用の状態を示す斜視図である。実施形態５で形状維持棒６１を布状体１で巻き込んだのに対し、本実施例では巻いた布状体１の側面に棒状体を掛着させた点にある。布状体１には予め、布の帯による掛着リング１３を縫合しておき、当該掛着リングに揺動可能な形状維持棒６２を差し込んで掛着する。当該揺動可能な形状維持棒６２は上部形状維持棒６２１と下部形状維持棒６２２の２本の棒とし、それぞれの端部に切れ込みを入れ、当該切れ込みをかみ合わせて留め、一定の角度の範囲で揺動可能とする。揺動の角度の範囲が搬送される人体の姿勢を制御することから、病人等への負担を減らすことが出来る。揺動可能な形状維持棒６２は布状体１の中に巻き込むことも可能で、巻いた布状体に掛着するよりも確実に姿勢を制御できる。
【００４１】  図１１は本願発明の実施形態７の裏面を示す敷布全体の斜視図であって、布状体１の人体が横たわる部分に形状維持手段６として、あて板である形状維持板６３を設けた例である。当該形状維持板６３は弾性を有するプラスチックで造られ、人体の短手方向に丸みが出るよう人体の長手方向にそって切れ目６３１が彫ってある。布状体１に縫合されており、変形しにくいことから、背と尻の部分の形状が維持され、椅子に座った感覚で搬送できる。吊り下げ用ベルト２１は人体の横たわる部分に沿って配され、布状体１のベルト収納用切れ目１４を通って、裏側に曲げられ、布状体１の端に縫合される。表側から吊り下げ用ベルト２１を引くと布状体の端がベルト収納用切れ目１４に向かって引き寄せられるため、布状体１がまとまって、搬送時に布状体１が搬送車者にまとわりつくことを防ぐことが出来る。図１２は本願発明の実施形態７の使用時の状態を示す部分図である。吊り下げ用ベルト２１を引くと布状体１と共に形状維持板６３が引き寄せられて、椅子状になることから病人等に無理な姿勢を強いることなく、安心して搬送できる。
【符号の説明】
【００４２】１      布状体
１１    巻いた布状体
１２    掛止手段
１３    掛着リング
１４    ベルト収納用切れ目
２      吊り下げ手段
２１    吊り下げ用ベルト
２１１  手前側の吊り下げ用ベルト
２１２  奥側の吊り下げ用ベルト
２２    長さ調節器
２３    吊り下げ用棒状体
３      人体
４      結合手段
４１    縫合部
４２    フック掛け
４２１  背側のフック掛け
４２２  脚側のフック掛け
５      掛着用のフック
６      形状維持手段
６１    形状維持棒
６２    揺動可能な形状維持棒
６２１  上部形状維持棒
６２２  下部形状維持棒
６３    形状維持板
６３１  切れ目
【図１】
2018126479.tif 000003
【図２】
2018126479.tif 000004
【図３】
2018126479.tif 000005
【図４】
2018126479.tif 000006
【図５】
2018126479.tif 000007
【図６】
2018126479.tif 000008
【図７】
2018126479.tif 000009
【図８】
2018126479.tif 000010
【図９】
2018126479.tif 000011
【図１０】
2018126479.tif 000012
【図１１】
2018126479.tif 000013
【図１２】
2018126479.tif 000014